(57)【要約】【課題】  遊技機の本体に球送り装置が取り付けられている遊技機において、メンテナンスなどにより取り外した球送り装置を取り付け忘れた場合に、発射装置に遊技球が連続して供給されることを防止できる遊技機を提供する。【解決手段】  本発明に係る遊技機（パチンコ機）は、遊技球を発射装置に所定個数ずつ供給する球送り装置と、本体部に開閉可能に取り付けられ、遊技球供給口２７４を介して貯留した遊技球を球送り装置に供給する皿ユニット２０とを備え、皿ユニット２０が、球送り装置への遊技球の供給を規制するシャッター２７３を有するとともに、球送り装置が、皿ユニットが閉じられることによって、シャッター２７３による球送り装置への遊技球の供給の規制を解除する規制解除部材を有する。【選択図】  図５
2005152246.tif 000002
【特許請求の範囲】
【請求項１】
遊技機の本体部に取り付けられ、遊技領域に向けて遊技球を発射する発射装置と、
前記本体部に取り付けられ、遊技球を前記発射装置に所定個数ずつ供給する球送り装置と、
前記本体部に開閉可能に取り付けられ、供給口を介して貯留した遊技球を前記球送り装置に供給する皿ユニットとを備えた遊技機であって、
前記皿ユニットは、前記球送り装置への遊技球の供給を規制する規制部材を有するとともに、
前記球送り装置は、前記皿ユニットが閉じられることによって、前記規制部材による前記球送り装置への遊技球の供給の規制を解除する規制解除部材を有すること
を特徴とする遊技機。
【請求項２】
前記規制解除部材は、前記規制部材と当接し、前記規制部材に当接する部分が先細形状となっていることを特徴とする請求項１に記載の遊技機。
【請求項３】
前記規制部材は、前記皿ユニットに回動可能に軸支され、前記規制解除部材によって回動させられることにより、前記供給口を、遊技球が通過不能な閉鎖状態から遊技球が通過可能な開放状態とする板状体であることを特徴とする請求項１または２に記載の遊技機。
【請求項４】
前記規制部材は、前記閉鎖状態において、前記供給口の一部を閉鎖することにより、遊技球を通過不能にすることを特徴とする請求項３に記載の遊技機。
【発明の詳細な説明】
【技術分野】
【０００１】
本発明は、遊技盤などの遊技領域に向けて遊技球を発射する発射装置を備えるパチンコ機などの遊技機に関し、特に、球送り装置が遊技機の本体に取り付けられる遊技機に関する。
【背景技術】
【０００２】
従来、遊技盤などの遊技領域に向けて遊技球を発射する発射装置を備えるパチンコ機などの遊技機では、遊技球を貯留する皿ユニットと、当該皿ユニットに貯留されている遊技球を遊技盤に向けて発射する発射装置に所定個数ずつ（例えば、１個）供給する球送り装置とを備えている。
【０００３】
このような従来の遊技機では、一般的に、球送り装置が皿ユニットに取り付けられる。また、遊技機の本体に取り付けられた皿ユニットは、本体内部のメンテナンスなどのために開閉できるようになっている。
【０００４】
しかしながら、このような従来の遊技機では、球送り装置が皿ユニットに取り付けられるため、皿ユニットを遊技機本体に組み付ける時や、皿ユニットの開閉時に、球送り装置と接続されるハーネスが、遊技機の本体と皿ユニットとの間に噛み込んでしまい、当該ハーネスが損傷したり、断線したりする場合があった。
【０００５】
そこで、球送り装置を皿ユニットではなく、遊技機の本体に取り付けることにより、上述したような球送り装置と接続されるハーネスの損傷や断線を防止する遊技機が提供されている（例えば、特許文献１）。
【０００６】
このような、遊技機の本体に球送り装置がに取り付けられる遊技機では、皿ユニットが開けられたときに、球送り装置に遊技球を供給する当該皿ユニットの供給口から、貯留された遊技球が散乱することを防止するため、当該供給口に規制部材（例えば、当該供給口を閉鎖する板状体）が設けられている。この規制部材は、当該供給口を閉鎖するように、例えば、スプリングによって付勢されている。
【０００７】
また、皿ユニットを閉じると、遊技機の本体に設けられる規制解除部材（例えば、突起片）が、上述した規制部材に当接して、当該規制部材を回動させることによって、当該供給口が開放され、球送り装置に遊技球が供給されるようになっている。
【特許文献１】特開２００１−１１２９４１号公報（第３−４頁、第３図）
【発明の開示】
【発明が解決しようとする課題】
【０００８】
しかしながら、上述したような、遊技機の本体に球送り装置が取り付けられる遊技機では、メンテナンスなどのために取り外された球送り装置を、遊技機の本体に取り付け忘れた場合、皿ユニットに貯留された遊技球が連続して発射装置に供給されてしまい、正常に遊技球を発射することができなくなるとともに、発射装置が破損してしまう危険があった。
【０００９】
また、球送り装置を取り付けようとして、皿ユニットを開けると、発射装置に供給された遊技球が散乱してしまうといった問題もあった。
【００１０】
そこで、本発明は、このような状況に鑑みてなされたものであり、遊技機の本体に球送り装置が取り付けられている遊技機において、メンテナンスなどにより取り外した球送り装置を取り付け忘れた場合に、発射装置に遊技球が連続して供給されることを防止できる遊技機を提供することを目的とする。
【課題を解決するための手段】
【００１１】
上述した課題を解決するため、本発明は、次のような特徴を備えている。まず、本発明の第１の特徴は、遊技機の本体部（例えば、中枠６０）に取り付けられ、遊技領域（遊技盤３０）に向けて遊技球を発射する発射装置（発射装置４００）と、前記本体部に取り付けられ、遊技球を前記発射装置に所定個数ずつ供給する球送り装置（球送り装置４４０）と、前記本体部に開閉可能に取り付けられ、供給口（遊技球供給口２７４）を介して貯留した遊技球を前記球送り装置に供給する皿ユニット（皿ユニット２０）とを備えた遊技機であって、前記皿ユニットが、前記球送り装置への遊技球の供給を規制する規制部材（シャッター２７３）を有するとともに、前記球送り装置が、前記皿ユニットが閉じられることによって、前記規制部材による前記球送り装置への遊技球の供給の規制を解除する規制解除部材（供給口開放突起片４４３）を有することを要旨とする。
【００１２】
かかる特徴によれば、発射装置への遊技球の供給の規制を解除する規制解除部材が、球送り装置に設けられるため、メンテナンスなどにより取り外した球送り装置を取り付け忘れた場合に、発射装置に遊技球が連続して供給されることを防止できる。また、かかる特徴によれば、球送り装置を取り付けようとして、皿ユニットを開けた際に、発射装置に供給された遊技球が散乱してしまうことを防止することができる。
【００１３】
本発明の第２の特徴は、本発明の第１の特徴において、前記規制解除部材が、前記規制部材と当接し、前記規制部材に当接する部分が先細形状となっていることを要旨とする。
【００１４】
かかる特徴によれば、規制解除部材が先細形状となっているため、規制解除部材が規制部材に当接した際に、規制部材による遊技球の供給の規制をスムーズに解除させることができる。
【００１５】
本発明の第３の特徴は、本発明の第１または第２の特徴において、前記規制部材が、前記皿ユニットに回動可能に軸支され、前記規制解除部材によって回動させられることにより、前記供給口を、遊技球が通過不能な閉鎖状態から遊技球が通過可能な開放状態とする板状体であることを要旨とする。
【００１６】
かかる特徴によれば、構造が簡易な規制部材及び規制解除部材が用いられるため、遊技機の製造コストの増加を抑制することや、規制部材及び規制解除部材の動作不良の発生頻度を低減することができる。
【００１７】
本発明の第４の特徴は、本発明の第３の特徴において、前記規制部材が、前記供給口の一部を閉鎖することにより、前記閉鎖状態とすることを要旨とする。
【００１８】
かかる特徴によれば、規制部材が、皿ユニットから球送り装置に遊技球を供給する供給口の一部を閉鎖することによって、遊技球の通過を規制するため、規制部材のサイズが小型化できる。また、かかる特徴によれば、規制部材が供給口を完全に閉鎖する必要がないため、供給口を完全に閉鎖する場合と比較して、供給口を閉鎖するように規制部材を付勢するスプリング等に要求される付勢の強さを軽減することができる。
【発明の効果】
【００１９】
本発明によれば、遊技機の本体に球送り装置が取り付けられている遊技機において、メンテナンスなどにより取り外した球送り装置を取り付け忘れた場合に、発射装置に遊技球が連続して供給されることを防止できる遊技機を提供することができる。
【発明を実施するための最良の形態】
【００２０】
次に、図面を参照して、本実施形態を説明する。以下の図面の記載において、同一又は類似の部分には、同一又は類似の符号を付している。ただし、図面は模式的なものであり、各寸法の比率等は現実のものとは異なることに留意すべきである。従って、具体的な寸法等は以下の説明を参酌して判断すべきものである。また、図面相互間においても互いの寸法の関係や比率が異なる部分が含まれていることは勿論である。
【００２１】
（遊技機の全体構成）
まず、図１乃至図３を参照して、本実施形態に係る遊技機の全体構成について説明する。図１は、本実施形態に係る遊技機１の全体斜視図である。同図に示すように、遊技機１は、遊技場の島設備に遊技機１を設置するために設けられている外枠８０と、外枠８０の内側に設けられた中枠６０に回動可能に軸支されている前枠１０とから構成されている。
【００２２】
また、遊技機１には、中枠６０に開閉可能に取り付けられるとともに、遊技球を貯留する皿ユニット２０が設けられている。さらに、遊技機１には、遊技盤３０上の遊技領域に向けて遊技球を発射するために遊技者によって回転操作される発射ハンドル４０が設けられている。
【００２３】
遊技盤３０は、少なくとも一部が透光性部材で形成されており、遊技盤３０上には、遊技球の流下方向を変化させる天通路３１と、ステージ３２とが設けられている。さらに、遊技盤３０上には、遊技球が入球すると、所定数の遊技球（例えば、１０個）が賞球として払い出されるように構成されている一般入賞口３３と、遊技球が入球すると所定数の遊技球（例えば、４個）が賞球として払出されるとともに、特別図柄の可変表示が開始されるように構成されている始動口３４と、一般入賞口３３などの何れにも入球しなかった遊技球が受け入れるアウト口３５とが設けられている。また、遊技盤３０上には、図示しない大入賞口、釘及び役物などが設けられている。
【００２４】
図２は、遊技機１の分解斜視図である。同図に示すように、外枠８０の内側に配備される中枠６０（本体部）の前面側には、前枠１０、皿ユニット２０、遊技盤３０、発射ハンドル４０、及び各種の効果音などを出力するスピーカ５０が配備される。
【００２５】
また、中枠６０の背面側には、特別図柄やデモ画像などを表示する液晶表示装置７０と、遊技球を払い出す払出ユニット９０と、遊技機１の主要な処理を実行するメインＣＰＵが実装された主制御基板や、液晶表示装置７０に表示される画像ならびにスピーカ５０から出力される効果音などを制御する副制御基板などが収容される基板ケース１００とが配備されている。
【００２６】
中枠６０は、上述した遊技機１の構成品を固定するために用いられ、外枠８０に回動可能に取り付けられている。
【００２７】
前枠１０は、遊技機１の正面側に配備され、中枠６０に回動可能に軸支されている。前枠１０には、開口部１１が形成されており、開口部１１には透明な板材（例えば、ガラス板）が嵌め込まれている。また、皿ユニット２０は、前枠１０の下方に配備され、中枠６０に回動可能に取り付けられている。
【００２８】
遊技盤３０は、前枠１０の背面側に配備され、開口部６２と重なる位置に配備されるとともに、着脱自在に中枠６０に取り付けられる。また、遊技盤３０は、上述したように、少なくとも一部が透光性部材で形成されており、遊技部材（上述した天通路３１、ステージ３２、一般入賞口３３、始動口３４、釘または役物など）が設けられた遊技領域を備えている。
【００２９】
なお、遊技盤３０の背面には、一般入賞口３３などに入球した遊技球を所定箇所に誘導するための入賞球通路と、所定の遊技状態であることなどを所定の点灯パターンで遊技者に報知する電飾装置と、制御信号を中継する中継基板とから構成されるスペーサユニット（不図示）が取り付けられている。
【００３０】
液晶表示装置７０は、液晶表示装置７０上に表示される画像を、遊技者が遊技盤３０を介して視認できるように、中枠６０に取り付けられている。
【００３１】
図３は、図２に示した中枠６０を拡大した分解斜視図である。同図に示すように、中枠６０の下部には、遊技領域（遊技盤３０）に向けて遊技球を発射する発射装置４００が取り付けられている。また、中枠６０（具体的には発射装置４００）には、遊技球を貯留する皿ユニット２０から供給された遊技球を発射装置４００に所定個数ずつ供給する球送り装置４４０が取り付けられている。
【００３２】
また、図１及び図２に示した皿ユニット２０は、図３に示す中枠６０に設けられている軸支部６１ａ，６１ｂによって、中枠６０に開閉可能に取り付けられ、遊技球供給口２７４（図３において不図示）を介して貯留した球技球を球送り装置４４０に供給する。
【００３３】
（皿ユニット及び球送り装置の構成）
次に、図４乃至図９を参照して、本発明の要部である皿ユニット及び球送り装置の構成について説明する。
【００３４】
（１）皿ユニットの構成
まず、皿ユニット２０の構成について説明する。図４は、中枠６０に取り付けられる皿ユニット２０の前面斜視図である。同図に示すように、皿ユニット２０の前面側には、上皿２２０と、上皿出口２２１と、球抜取レバー２３０と、下皿２４０と、下皿出口２４１と、球抜取レバー２５０と、球抜孔２５１とが設けられている。
【００３５】
また、皿ユニット２０は、図３に示した軸支部６１ａ，６１ｂによって軸支される軸受部２６１ａ及び軸部２６１ｂ（図４において不図示）を有し、軸支部６１ａ，６１ｂを中心として、開閉できるように構成されている。さらに、皿ユニット２０の背面側には、払出ユニット９０によって払い出された遊技球を受け入れる遊技球受入口２１０が設けられている。
【００３６】
遊技球受入口２１０によって受け入れられた遊技球は、上皿出口２２１を介して上皿２２０に貯留される。また、球抜取レバー２３０は、上皿２２０に貯留している遊技球を皿ユニット２０の背面側に具備されている遊技球誘導路２８０（図４において不図示）及び下皿出口２４１を経由して下皿２４０に移動させるものである。
【００３７】
球抜取レバー２５０は、球抜孔２５１が開口するように構成されており、下皿２４０に貯留している遊技球を、いわゆるドル箱に移動させるために用いられる。
【００３８】
次に、図５を参照して、皿ユニット２０の背面側の構成について説明する。同図は、皿ユニット２０の背面斜視図である。同図に示すように、皿ユニット２０の背面側には、遊技球受入口２１０、上皿２２０及び下皿２４０を連通する遊技球誘導路２８０が設けられている。
【００３９】
また、皿ユニット２０の背面側には、遊技球供給口２７４（供給口）が設けられており、上皿２２０に貯留している遊技球は、遊技球供給口２７４を介して転動することによって、球送り装置４４０に供給される。
【００４０】
さらに、遊技球供給口２７４を構成する位置には、球送り装置４４０への遊技球の供給を規制するシャッター２７３が設けられている。なお、本実施形態では、シャッター２７３は、球送り装置４４０への遊技球の供給を規制する規制部材を構成する。
【００４１】
シャッター２７３は、皿ユニット２０に、回動軸部２７３ａを中心として回動可能に軸支されている。また、シャッター２７３には、スプリング２７２の一端が係止されており、遊技球供給口２７４を閉鎖する方向に付勢されている。また、スプリング２７２の他端は、皿ユニット２０の背面の左上方に設けられている金属フレーム２７１に固定されている。
【００４２】
ここで、図６は、上述した金属フレーム２７１、スプリング２７２及びシャッター２７３のより具体的な形状を示す皿ユニット２０の拡大分解斜視図である。同図に示すように、金属フレーム２７１は、皿ユニット２０の背面の左上方に設けられている。
【００４３】
また、シャッター２７３は、皿ユニット２０に回動可能に軸支される回動軸部２７３ａと、スプリング２７２を係止する係止孔２７３ｂを有している。
【００４４】
（２）球送り装置の構成
次に、球送り装置４４０の構成について説明する。図７は、球送り装置４４０と、発射装置４００との斜視図である。同図に示すように、発射装置４００には、球送り装置支持部材４１１ａ，４１１ｂと、球送り装置係止片４１２と、遊技球発射部４２０と、ファール球受入部４３０とが設けられている。また、同図では、球送り装置４４０が、球送り装置支持部材４１１ａ，４１１ｂによって枢支されている。
【００４５】
さらに、遊技球発射部４２０は、球送り装置４４０によって供給された遊技球を叩打するハンマー４２１ａとスプリング４２１ｂとを有している。
【００４６】
具体的には、遊技球発射部４２０は、発射ハンドル４０の操作に応じて出力されるパルス信号の立上りまたは立下りに基づいて、ハンマー４２１ａを動作させ、遊技球を叩打する。より具体的には、発射ハンドル４０の操作に応じて出力されるパルス信号は、水晶発信器を用いて生成される周期的な信号であり、本実施形態では、発射ハンドル４０の操作することによって、０．６秒毎に当該パルス信号が出力されるように構成されている。
【００４７】
また、遊技球発射部４２０では、ハンマー４２１ａによって遊技球を叩打するために、遊技球発射部４２０の内部に具備されたプランジャ（不図示）が用いられ、ハンマー４２１ａによって遊技球を叩打するために動作した当該プランジャを元に位置に戻すために、スプリング４２１ｂが用いられる。
【００４８】
球送り装置係止片４１２は、発射装置４００に設けられており、球送り装置４４０を係止するものである。球送り装置係止片４１２は、先端がツメ状の形状を有し、球送り装置４４０の下端部を係止することにより、遊技球発射部４２０などのメンテナンス時などの必要時以外に、球送り装置４４０が回動してしまうことを防止する。
【００４９】
ファール球受入部４３０は、遊技球発射部４２０によって発射されたものの、遊技盤３０によって構成される遊技領域に到達せずに発射装置４００側に戻ってきた遊技球を受け入れるものである。
【００５０】
また、球送り装置４４０には、皿ユニット２０に貯留された遊技球が導入される遊技球導入口４４１と、供給口開放突起片４４３とが設けられている。
【００５１】
図８は、球送り装置４４０の斜視図である。同図に示すように、球送り装置４４０は、遊技球導入口４４１と、回動軸部４４２ａ，４４２ｂと、供給口開放突起片４４３と、前面板４４７とを備えている。
【００５２】
また、球送り装置４４０の下部には、板部４４４が形成され、板部４４４には、球送り装置係止片４１２が着接する凹部４４５と、球送り装置４４０の取付位置の位置決めに用いられる位置決め孔４４６とが設けられている。
【００５３】
遊技球導入口４４１は、皿ユニット２０から供給された遊技球を球送り装置４４０の内部に導入するために設けられた導入口であり、皿ユニット２０の遊技球供給口２７４と重なり合うように構成されている。
【００５４】
回動軸部４４２ａ，４４２ｂは、発射装置４００（球送り装置支持部材４１１ａ，４１１ｂ）によって枢支される回動軸である。
【００５５】
供給口開放突起片４４３は、皿ユニット２０が閉じられることによって、皿ユニット２０の背面側に設けられている開放突起片受入孔２７５（図８において不図示）に挿入されるように構成されており、本実施形態では、皿ユニット２０が閉じられることによって、シャッター２７３（規制部材）による球送り装置４４０への遊技球の供給の規制を解除する規制解除部材を構成する。なお、開放突起片受入孔２７５の形状や位置については、後述する。
【００５６】
（規制部材及び規制解除部材による遊技球の供給動作）
次に、図９乃至図１３を参照して、本実施形態に係る皿ユニット２０に設けられる規制部材（シャッター２７３）と、本実施形態に係る球送り装置４４０に設けられる規制解除部材（供給口開放突起片４４３）とによる遊技球の供給動作について説明する。なお、以下においては、上述していない部分について、主に説明するものとし、上述した部分については、同一の符号を付し、その説明を適宜省略する。
【００５７】
図９は、皿ユニット２０の全体背面図である。同図に示すように、皿ユニット２０の背面の左上方には、金属フレーム２７１が取り付けられている。
【００５８】
スプリング２７２は、金属フレーム２７１に設けられている係止突起片２７１ａと、シャッター２７３に設けられている係止孔２７３ｂとに、それぞれ係止されている。
【００５９】
また、シャッター２７３は、皿ユニット２０に、回動軸部２７３ａを中心として回動可能に軸支されており、また、スプリング２７２によって、遊技球供給口２７４を閉鎖する方向に付勢されている。
【００６０】
具体的には、シャッター２７３は、球送り装置４４０に設けられている供給口開放突起片４４３によって、皿ユニット２０の背面に略垂直な回動軸を有する回動軸部２７３ａを中心として回動させられることにより、遊技球供給口２７４を、遊技球が通過不能な閉鎖状態から遊技球が通過可能な開放状態とする板状体の形状を有している。
【００６１】
また、開放突起片受入孔２７５は、軸受部２６１ａ及び軸部２６１ｂとによって軸支部６１ａ，６１ｂ（図３参照）に軸支される皿ユニット２０が閉じられると、供給口開放突起片４４３が、挿入されるように構成されている。
【００６２】
なお、同図は、遊技球が通過可能に遊技球供給口２７４が開放されている開放状態、つまり、供給口開放突起片４４３（図８参照）がシャッター２７３に当接して、シャッター２７３が押し上げるように回動させられた状態を示している。
【００６３】
図１０（ａ）及び（ｂ）は、シャッター２７３の動作状態を示す図である。図１０（ａ）は、供給口開放突起片４４３（図８参照）がシャッター２７３に当接して、シャッター２７３が押し上げるように回動させられた状態を示している。つまり、同図（ａ）は、皿ユニット２０が閉じられた状態におけるシャッター２７３の状態を示している。
【００６４】
同図（ａ）に示すように、シャッター２７３が押し上げるように回動させられることによって、遊技球供給口２７４は、遊技球が通過可能な開放状態となり、遊技球供給口２７４と重なり合うように構成されている遊技球導入口４４１（図８参照）を介して、球送り装置４４０に遊技球が供給される。
【００６５】
一方、同図（ｂ）は、係止孔２７３ｂ及び係止突起片２７１ａによって係止されているスプリング２７２によって付勢されているシャッター２７３が、遊技球供給口２７４を遊技球が通過不能としている状態、すなわち閉鎖状態を示している。
【００６６】
具体的には、軸支部６１ａ，６１ｂ（図３参照）に軸支される皿ユニット２０が開けられると、皿ユニット２０が閉じられていたときにはシャッター２７３を押し上げるように回動させていた供給口開放突起片４４３が、シャッター２７３に当接しなくなる。
【００６７】
このため、スプリング２７２によって、遊技球供給口２７４を閉鎖する方向に付勢されているシャッター２７３は、遊技球供給口２７４を閉鎖する。具体的には、シャッター２７３は、遊技球供給口２７４の下部の外周に設けられる係止片２７４ａの端部と当接する位置まで回動する。
【００６８】
ここで、図１１及び図１２は、シャッター２７３近傍の拡大斜視図である。具体的には、図１１は、上述した図１０（ａ）のシャッター２７３の状態、つまり、皿ユニット２０が閉じられている場合におけるシャッター２７３の状態を示している。図１２は、図１０（ｂ）に示したシャッター２７３の状態、つまり、皿ユニット２０が開けられている場合におけるシャッター２７３の状態を示している。
【００６９】
皿ユニット２０が閉じられている状態では、図１１に示すように、シャッター２７３は、供給口開放突起片４４３によって押し上げるように回動させられ、遊技球供給口２７４が開放状態となる。すなわち、皿ユニット２０が閉じられている状態では、皿ユニット２０の前面側に設けられている上皿２２０に貯留されている遊技球が、遊技球供給口２７４を介して球送り装置４４０に供給される。
【００７０】
また、皿ユニット２０が開けられている状態では、図１２に示すように、シャッター２７３は、係止片２７４ａと当接する位置まで回動し、遊技球供給口２７４が閉鎖状態となる。さらに、シャッター２７３は、同図に示すように、閉鎖状態において遊技球供給口２７４の一部を閉鎖することにより、遊技球を通過不能にする。
【００７１】
図１３は、球送り装置４４０に設けられている供給口開放突起片４４３が、皿ユニット２０が閉じられることによって、シャッター２７３と当接し、シャッター２７３を押し上げるように回動させている状態を示している。
【００７２】
図１３に示されている前面板４４７は、図８に示したように、球送り装置４４０を構成するものである。なお、実際には、前面板４４７は、球送り装置４４０に取り付けられているが、図１３においては、説明を容易にするため、前面板４４７のみが示されている。
【００７３】
同図に示すように、皿ユニット２０が閉じられると、供給口開放突起片４４３は、シャッター２７３と当接し、シャッター２７３を押し上げるように回動させられるとともに、開放突起片受入孔２７５に挿入されるようになっている。
【００７４】
シャッター２７３が押し上げられように回動させられると、上述したように遊技球供給口２７４が開放状態となり、遊技球導入口４４１を介して球送り装置４４０に遊技球が供給される。
【００７５】
また、同図に示すように、供給口開放突起片４４３は、シャッター２７３に当接する部分が先細形状となっていおり、シャッター２７３に当接した際に、シャッター２７３による遊技球の供給の規制をスムーズに解除させるように構成されている。
【００７６】
（作用・効果）
以上説明した本実施形態に係る遊技機１によれば、発射装置４００への遊技球の供給の規制を解除する供給口開放突起片４４３（規制解除部材）が、球送り装置４４０に設けられるため、メンテナンスなどにより取り外した球送り装置４４０を取り付け忘れた場合に、発射装置４００に遊技球が連続して供給されることを防止できる。また、本実施形態に係る遊技機１によれば、球送り装置４４０を取り付けようとして、皿ユニット２０を開けた際に、発射装置４００に供給された遊技球が散乱してしまうことを防止することができる。
【００７７】
本実施形態に係る遊技機１によれば、供給口開放突起片４４３が先細形状となっているため、供給口開放突起片４４３がシャッター２７３（規制部材）に当接した際に、シャッター２７３による遊技球の供給の規制をスムーズに解除させることができる。
【００７８】
本実施形態に係る遊技機１によれば、構造が簡易なシャッター２７３及び供給口開放突起片４４３が用いられるため、遊技機１の製造コストの増加を抑制することや、シャッター２７３及び供給口開放突起片４４３の動作不良の発生頻度を低減することができる。
【００７９】
本実施形態に係る遊技機１によれば、シャッター２７３が、皿ユニット２０から球送り装置４４０に遊技球を供給する遊技球供給口２７４の一部を閉鎖することによって、遊技球の通過を規制するため、シャッター２７３のサイズが小型化できる。また、本実施形態に係る遊技機１によれば、シャッター２７３が遊技球供給口２７４を完全に閉鎖する必要がないため、遊技球供給口２７４を完全に閉鎖する場合と比較して、遊技球供給口２７４を閉鎖するようにシャッター２７３を付勢するスプリング２７２に要求される付勢の強さを軽減することができる。
【００８０】
（その他の実施形態）
本発明は、上述した実施形態によって記載したが、この開示の一部をなす論述及び図面はこの発明を限定するものであると理解すべきではない。この開示から当業者には様々な代替実施の形態、実施例及び運用技術が明らかとなろう。
【００８１】
本実施形態では、規制部材（シャッター２７３）は、皿ユニット２０に回動可能に軸支され、供給口開放突起片４４３によって回動させられることにより、遊技球供給口２７４を、遊技球が通過不能な閉鎖状態から遊技球が通過可能な開放状態とする板状体としたが、規制部材は、異なる形状であってもよい。例えば、規制部材は、供給口開放突起片４４３によって、上下または左右に移動させられることによって、遊技球供給口２７４を閉鎖・開放するものでもよい。
【００８２】
また、本実施形態では、供給口開放突起片４４３は、図８や図１３に示したように、多角形の形状を有しているが、シャッター２７３と当接する部分が、先細となるＶ字形やＵ字型の形状であってもよい。
【００８３】
さらに、本実施形態では、シャッター２７３は、遊技球供給口２７４の一部を閉鎖する形態としたが、シャッター２７３は、遊技球供給口２７４を完全に閉鎖するものであっても構わない。
【００８４】
このように、本発明はここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【００８５】
【図１】本発明の実施形態に係る遊技機の全体斜視図である。
【図２】本発明の実施形態に係る遊技機の分解斜視図である。
【図３】本発明の実施形態に係る遊技機の中枠（本体部）の分解斜視図である。
【図４】本発明の実施形態に係る遊技機に取り付けられている皿ユニットの前面斜視図である。
【図５】本発明の実施形態に係る遊技機に取り付けられている皿ユニットの背面斜視図である。
【図６】本発明の実施形態に係る遊技機に取り付けられている皿ユニットの拡大分解斜視図である。
【図７】本発明の実施形態に係る遊技機に取り付けられている発射装置の斜視図である。
【図８】本発明の実施形態に係る遊技機に設けられている球送り装置の斜視図である。
【図９】本発明の実施形態に係る遊技機に取り付けられている皿ユニットの全体背面図である。
【図１０】本発明の実施形態に係る遊技機に取り付けられている皿ユニットの一部背面図である。
【図１１】本発明の実施形態に係る遊技機に設けられている規制部材近傍の拡大斜視図である。
【図１２】本発明の実施形態に係る遊技機に設けられている規制部材近傍の拡大斜視図である。
【図１３】本発明の実施形態に係る遊技機に設けられている規制部材及び規制解除部材の拡大斜視図である。
【符号の説明】
【００８６】
１…遊技機、１０…前枠、１１…開口部、２０…皿ユニット、３０…遊技盤、３１…天通路、３２…ステージ、３３…一般入賞口、３４…始動口、３５…アウト口、４０…発射ハンドル、５０…スピーカ、６０…中枠、６１ａ，６１ｂ…軸支部、６２…開口部、７０…液晶表示装置、８０…外枠、９０…払出ユニット、１００…基板ケース、２１０…遊技球受入口、２２０…上皿、２２１…上皿出口、２３０…球抜取レバー、２４０…下皿、２４１…下皿出口、２５０…球抜取レバー、２５１…球抜孔、２６１ａ…軸受部、２６１ｂ…軸部、２７１…金属フレーム、２７１ａ…係止突起片、２７２…スプリング、２７３…シャッター、２７３ａ…回動軸部、２７３ｂ…係止孔、２７４…遊技球供給口、２７４ａ…係止片、２７５…開放突起片受入孔、２８０…遊技球誘導路、４００…発射装置、４１１ａ，４１１ｂ…球送り装置支持部材、４１２…球送り装置係止片、４２０…遊技球発射部、４２１ａ…ハンマー、４２１ｂ…スプリング、４３０…ファール球受入部、４４０…球送り装置、４４１…遊技球導入口、４４２ａ，４４２ｂ…回動軸部、４４３…供給口開放突起片、４４４…板部、４４５…凹部、４４６…位置決め孔、４４７…前面板
【図１】
2005152246.tif 000003
【図２】
2005152246.tif 000004
【図３】
2005152246.tif 000005
【図４】
2005152246.tif 000006
【図５】
2005152246.tif 000007
【図６】
2005152246.tif 000008
【図７】
2005152246.tif 000009
【図８】
2005152246.tif 000010
【図９】
2005152246.tif 000011
【図１０】
2005152246.tif 000012
【図１１】
2005152246.tif 000013
【図１２】
2005152246.tif 000014
【図１３】
2005152246.tif 000015